(57)【要約】【課題】遊技機裏面側へ誘導して遊技球を外部へ球抜きする球抜状態へ切り換えた際に、エラー等の不具合が発生するのを防止することができる弾球遊技機の提供を目的とする。【解決手段】払出装置１２５から払い出された遊技球を払出装置１２５の下方で遊技機の前面側へ誘導する払出樋１５９或いは遊技機の外部へ抜き出すために遊技機の裏面側へ誘導する球抜樋１６０の何れか一方へ遊技球の流路を切り換える流路切換手段と、遊技球払出条件の成立有無にかかわらず払出装置１２５を強制的に作動させて払出装置から遊技球を払い出させることが可能な払出装置強制作動手段と、流路切換手段が払出装置１２５からの遊技球の流路を払出樋１５９へ誘導する払出状態から球抜樋１６０へ誘導する球抜状態に切り換えたことを起因に、払出遊技球検出手段による遊技球の検出を無効あるいは不可能にする払出遊技球非検出手段とを備えた。【選択図】      図５
2006204665.tif 000002
【特許請求の範囲】
【請求項１】
遊技球払出条件が成立したときに遊技球の払い出しが可能な払出装置と、
前記払出装置から払い出された遊技球を検出可能な払出遊技球検出手段と、
前記払出装置から払い出された遊技球を前記払出遊技球検知手段により検出して前記払出装置による遊技球の払出を監視する払出制御手段と、
前記払出装置から払い出された遊技球を前記払出装置の下方で遊技機の前面側へ誘導する払出樋或いは前記遊技機の外部へ抜き出すために前記遊技機の裏面側へ誘導する球抜樋の何れか一方へ遊技球の流路を切り換える流路切換手段と、
前記遊技球払出条件の成立有無にかかわらず前記払出装置を強制的に作動させて前記払出装置から遊技球を払い出させることが可能な払出装置強制作動手段と、
前記流路切換手段が前記払出装置からの遊技球の流路を前記払出樋へ誘導する払出状態から前記球抜樋へ誘導する球抜状態に切り換えたことを起因に、前記払出遊技球検出手段による遊技球の検出を無効あるいは不可能にする払出遊技球非検出手段と、
を備えたことを特徴とする弾球遊技機。
【請求項２】
前記払出遊技球非検出手段は、前記流路切換手段が前記払出装置からの遊技球の流路を前記払出状態から前記球抜状態に切り換えるのに連動して、前記払出遊技球検出手段が遊技球を検出可能な第１の位置から検出不可能な第２の位置に変位することを特徴とする請求項１に記載の弾球遊技機。
【請求項３】
前記払出遊技球検出手段は、遊技球を検出する検出センサと前記検出センサを保持する保持部材とよりなり、
前記保持部材が前記払出樋の上方に軸支されて前記検出センサと共に揺動可能とされ、前記揺動によって前記払出遊技球検出手段が前記第１の位置と第２の位置を変位することを特徴とする請求項２に記載の弾球遊技機。
【請求項４】
前記流路切換手段は、前記払出装置から払い出された遊技球を前記払出樋へ誘導する払出状態と前記球抜樋へ誘導する球抜状態に遊技球の流路を切り換える流路切換え部材を備えることを特徴とする請求項２または３に記載の弾球遊技機。
【請求項５】
前記払出状態から前記球抜状態へ前記流路切換え部材を切換える際に、前記流路切換え部材の一部が前記払出遊技球検出手段の保持部材に当接することにより、前記払出遊技球検出手段を前記第１の位置から前記第２の位置に変位させることを特徴とする請求項４に記載の弾球遊技機。
【請求項６】
前記流路切換手段により前記球抜状態とされたことを検出する球抜状態検出手段を備えることを特徴とする請求項１から５の何れか一項に記載の弾球遊技機。
【請求項７】
前記流路切換え部材はケース体内に設けられ、
前記ケース体に開口部が設けられると共に、前記流路切換え部材には前記流路切換手段が前記球抜状態に切り換えた際に前記開口部から前記ケース体の外部に出現する突部が設けられ、
前記球抜状態検出手段は、前記開口部から前記ケース体の外部に出現した前記流路切換手段の突部を検出することを特徴とする請求項６に記載の弾球遊技機。
【請求項８】
前記払出遊技球非検出手段は、前記球抜状態検出手段による球抜き状態の検出を起因に前記払出遊技球検出手段による遊技球の検出情報を無効にすることを特徴とする請求項６または７に記載の弾球遊技機。
【発明の詳細な説明】
【技術分野】
【０００１】
本発明は、パチンコ遊技機等に代表される弾球遊技機に関する。
【背景技術】
【０００２】
従来、遊技球の払出条件が成立したときに遊技球の払い出し可能な払出装置と、前記払出装置から払い出された遊技球を検出可能な払出遊技球検出手段とを備えた弾球遊技機においては、前記払出装置の上方に球抜き機構を備え、必要時に遊技球を払出装置の上方から遊技機の裏側へ誘導して外部へ球抜きすることが可能とされている。
【０００３】
しかし、払出装置の上方の球抜機構によって遊技球の球抜きを行うと、球抜き機構から払出装置までの流路に遊技球が残存して球抜きが不完全になることがある。そこで、このような不具合を防ぐため、払出装置の下方に球抜き機構を設けて、払出装置からの遊技球の流路を、球抜き機構の操作により球抜き用の誘導樋へ切換えて遊技機裏面側へ遊技球を誘導し、遊技機外部に抜き取り可能にすることが提案されている。
【０００４】
ところで、弾球遊技機においては、遊技盤に設けた入賞口への遊技球の入賞等によって遊技球払出条件が成立したときに、払出装置から遊技球を払い出し、その遊技球を払出樋を経て遊技機の前面側の球受け皿へ誘導するように構成すると共に、払出装置から払い出された遊技球を払出遊技球検出手段で検出して払出装置による払出しを監視することが行われている。そのため、払出装置の下方に球抜き機構を設けた場合、払出条件が非成立のときに払出装置から遊技球を払い出して遊技機の裏面側から球抜きを行うようにすると、遊技球払出条件が成立していない状態で払出装置から払い出された遊技球が払出遊技球検出手段で検出されることになって、エラー等の不具合を発生することがある。
【特許文献１】特開平９−２８５６１６号公報
【発明の開示】
【発明が解決しようとする課題】
【０００５】
本発明は、前記の点に鑑みなされたもので、遊技球払出条件が成立していないときに、払出装置から払い出された遊技球を遊技機前面側へ誘導して払い出す払出状態から、遊技機裏面側へ誘導して遊技球を外部へ球抜きする球抜状態へ切り換えた際に、エラー等の不具合が発生するのを防止することができる弾球遊技機の提供を目的とする。
【課題を解決するための手段】
【０００６】
請求項１の発明は、遊技球払出条件が成立したときに遊技球の払い出しが可能な払出装置と、前記払出装置から払い出された遊技球を検出可能な払出遊技球検出手段と、前記払出装置から払い出された遊技球を前記払出遊技球検知手段により検出して前記払出装置による遊技球の払出を監視する払出制御手段と、前記払出装置から払い出された遊技球を前記払出装置の下方で遊技機の前面側へ誘導する払出樋或いは前記遊技機の外部へ抜き出すために前記遊技機の裏面側へ誘導する球抜樋の何れか一方へ遊技球の流路を切り換える流路切換手段と、前記遊技球払出条件の成立有無にかかわらず前記払出装置を強制的に作動させて前記払出装置から遊技球を払い出させることが可能な払出装置強制作動手段と、前記流路切換手段が前記払出装置からの遊技球の流路を前記払出樋へ誘導する払出状態から前記球抜樋へ誘導する球抜状態に切り換えたことを起因に、前記払出遊技球検出手段による遊技球の検出を無効あるいは不可能にする払出遊技球非検出手段と、を備えたことを特徴とする弾球遊技機に係る。
【０００７】
請求項２の発明は、請求項１において、前記流路切換手段が前記払出装置からの遊技球の流路を前記払出状態から前記球抜状態に切り換えるのに連動して、前記払出遊技球検出手段が遊技球を検出可能な第１の位置から検出不可能な第２の位置に変位することを特徴とする。
【０００８】
請求項３の発明は、請求項２において、前記払出遊技球検出手段が、遊技球を検出する検出センサと前記検出センサを保持する保持部材とよりなり、前記保持部材が前記払出樋の上方に軸支されて前記検出センサと共に揺動可能とされ、前記揺動によって前記払出遊技球検出手段が前記第１の位置と第２の位置を変位することを特徴とする。
【０００９】
請求項４の発明は、請求項２または３において、前記流路切換手段が、前記払出装置から払い出された遊技球を前記払出樋へ誘導する払出状態と前記球抜樋へ誘導する球抜状態に遊技球の流路を切り換える流路切換え部材を備えることを特徴とする。
【００１０】
請求項５の発明は、請求項４において、前記払出状態から前記球抜状態へ前記流路切換え部材を切換える際に、前記流路切換え部材の一部が前記払出遊技球検出手段の保持部材に当接することにより、前記払出遊技球検出手段を前記第１の位置から前記第２の位置に変位させることを特徴とする。
【００１１】
請求項６の発明は、請求項１から５の何れか一項において、前記流路切換手段により前記球抜状態とされたことを検出する球抜状態検出手段を備えることを特徴とする。
【００１２】
請求項７の発明は、請求項６において、前記流路切換え部材がケース体内に設けられ、前記ケース体に開口部が設けられると共に、前記流路切換え部材には前記流路切換手段が前記球抜状態に切り換えた際に前記開口部から前記ケース体の外部に出現する突部が設けられ、前記球抜状態検出手段が、前記開口部から前記ケース体の外部に出現した前記流路切換手段の突部を検出することを特徴とする。
【００１３】
請求項８の発明は、請求項６または７において、前記払出遊技球非検出手段が、前記球抜状態検出手段による球抜き状態の検出を起因に前記払出遊技球検出手段による遊技球の検出情報を無効にすることを特徴とする。
【発明の効果】
【００１４】
請求項１の発明によれば、遊技球払出条件の成立有無にかかわらず払出装置を強制的に作動させて払出装置から遊技球を払い出させることが可能な払出装置強制作動手段と、流路切換手段が払出装置からの遊技球を払出樋へ誘導する払出状態から球抜樋へ誘導する球抜状態に切り換えたことを起因に、払出遊技球検出手段による遊技球の検出を無効あるいは不可能にする払出遊技球非検出手段とを備える構成としたことにより、遊技球払出条件が成立していない場合に、払出装置から遊技球を払い出して遊技機外部へ抜き出す際に、払出装置から払い出された遊技球が払出遊技球検出手段により検出されることがないため、遊技球払出条件が成立していないのに遊技球が払い出されていると判断してエラー等になるなどの不具合発生を防止することが可能となる。
【００１５】
請求項２の発明によれば、流路切換手段が払出装置からの遊技球の流路を払出状態から球抜状態に切り換えるのに連動して、払出遊技球検出手段が遊技球を検出可能な第１の位置から検出不可能な第２の位置に変位する構成としたことにより、球抜状態への切換え時に確実に払出遊技球検出手段の検出を無効にすることが可能となる。
【００１６】
請求項３の発明によれば、払出遊技球検出手段が、遊技球を検出する検出センサと検出センサを保持する保持部材とよりなり、保持部材が払出樋の上方に軸支されて検出センサと共に揺動可能とされ、前記揺動によって払出遊技球検出手段が前記第１の位置と第２の位置を変位する構成としたことにより、流路切換手段が払出状態から球抜状態に切り換えるのに連動して払出遊技球検出手段を遊技球の検出可能な第１の位置と検出不可能な第２の位置に容易に変位させることが可能となる。
【００１７】
請求項４の発明によれば、流路切換手段が、払出装置から払い出された遊技球を払出樋へ誘導する払出状態と球抜樋へ誘導する球抜状態に遊技球の流路を切り換える流路切換え部材を備える構成としたことにより、流路切換部材を動かして流路を切換えることが可能となる。
【００１８】
請求項５の発明によれば、払出状態から球抜状態へ流路切換え部材を切換える際に、流路切換え部材の一部が払出遊技球検出手段の保持部材に当接することにより、払出遊技球検出手段を前記第１の位置から前記第２の位置に変位させる構成としたことによって、流路切換部材の一部が払出検出手段へ直接的に当接して払出遊技球検出手段の位置が変位するため、確実に払出遊技球検出手段の検出を不可能にすることが可能になる。
【００１９】
請求項６の発明によれば、流路切換手段により球抜状態とされたことを検出する球抜状態検出手段を備える構成としたことにより、遊技機が球抜き状態であることを認識して処理を行うことが可能となる。
【００２０】
請求項７の発明によれば、流路切換え部材がケース体内に設けられ、前記ケース体に開口部が設けられると共に、流路切換え部材には流路切換手段が球抜状態に切り換えた際に前記開口部からケース体の外部に出現する突部が設けられ、球抜状態検出手段が、前記開口部からケース体の外部に出現した前記流路切換手段の突部を検出する構成としたことにより、流路切換部材を球抜状態に切り換えたことを確実に検出することが可能となる。
【００２１】
請求項８の発明によれば、払出遊技球非検出手段が、球抜状態検出手段による球抜き状態の検出を起因に払出遊技球検出手段による遊技球の検出情報を無効にする構成としたことにより、遊技球払出条件が成立していない場合に、払出装置から遊技球を払い出して遊技機外部へ抜き出す際に、払出装置から払い出された遊技球が払出遊技球検出手段により検出されることがないため、遊技球払出条件が成立していないのに遊技球が払い出されていると判断されてエラー等になるなどの不具合発生を防止することが可能となる。
【発明を実施するための最良の形態】
【００２２】
以下添付の図面に基づき本発明の好適な実施形態を説明する。図１は本発明の一実施例に係る弾球遊技機について釘を省略して示す正面図、図２は同弾球遊技機の裏面図、図３は同弾球遊技機の制御装置等の接続を簡略に示すブロック図である。
【００２３】
図１に示す本実施例の弾球遊技機１は、遊技媒体として遊技球を用いるパチンコ遊技機であり、遊技盤３の縁に遊技球の外側ガイドレール４及び内側ガイドレール５が略円形に立設され、前記内側ガイドレール５によって囲まれた遊技領域６を有する。前記遊技領域６には。その中心線上に上部から下部に向かって順に表示装置９、始動入賞口１０、特別電動役物である大入賞口１５、アウト口１７が配設され、また上方両側にはランプ風車１８ａ，１８ｂ、その下方に普通図柄変動開始用左ゲート１９及び普通図柄変動開始用右ゲート２１、その下方に左袖入賞口２３と右袖入賞口２５、さらには前記大入賞口１５の両側に左落とし入賞口２７と右落とし入賞口２９が配設されている。なお、前記表示装置９は、文字又は図柄の少なくとも何れかを表示可能なものであって、液晶，ドットマトリックス若しくはＬＥＤ表示装置等の表示装置からなり、この実施例では、液晶表示器（ＴＦＴ−ＬＣＤモジュール）で構成され、左下に普通図柄表示部４５が組み込まれ、その他の大部分が特別図柄表示部４２となっている。符号２２ａ，２２ｂは風車、Ｆ１は外枠、Ｆ２は外枠Ｆ１に取り付けられた前枠、Ｇは前枠Ｆ２に開閉可能にヒンジで取り付けられたガラス枠である。
【００２４】
また、前記遊技機１の前面側には、枠飾り右ランプ３５ａ、枠飾り上ランプ３５ｂ及び枠飾り左ランプ３５ｃからなるランプ装置、払い出された遊技球を受けるための上側球受け皿３６、該上側球受け皿３６の飽和時に遊技球を受けるための下側球受け皿３７、効果音等を発するスピーカ３８、遊技者の発射操作に応じて遊技球を遊技領域６に向けて弾発発射する発射装置５３が設けられている。符号５４は発射装置５３の操作レバーである。さらに、この例の弾球遊技機１は、プリペイドカードユニット５５が接続されている。
【００２５】
遊技を制御するための複数の制御基板や装置等は、遊技機１の裏側の機構板に設けられている。前記遊技機１の裏側に設けられる制御基板や装置について、図２及び図３を用いて簡略に説明する。なお、図２の符号１２２は機構板である。図には、前記制御基板及び装置の主なものとして、主制御基板１００、表示制御基板１０５、中継基板１０８、ランプ制御基板１１０、音声制御基板１１５、払出制御基板１２０、エラー解除スイッチ１２４、払出装置１２５、球無しスイッチ基板１８５、受電基板１８７、電源基板１８８、カードインターフェイス接続部１８９、発射制御基板１９０、枠用外部端子基板１９１、盤用外部端子基板１９２等が示されている。なお、各基板には電気回路が形成され、また各基板は基板ケースに収容されている。
【００２６】
前記主制御基板１００は、遊技の当否判定や副制御基板に対する制御等、遊技の主な制御を行う。前記主制御基板１００は、ＣＰＵ，ＲＡＭ，ＲＯＭ，複数のカウンタを備えたコンピュータと、該コンピュータとランプ制御基板１１０、払出制御基板１２０等を結ぶ入出力回路と、前記コンピュータと前記大入賞口１５に接続される中継基板等を結ぶ入出力回路等で構成される。前記ＣＰＵは、制御部，演算部，各種カウンタ，各種レジスタ，各種フラグ等を備え、演算制御を行う他、遊技における大当たりの発生や小当たりの発生のための乱数等も生成している。また、前記ＲＡＭは、各種検出信号用の記憶領域、ＣＰＵで生成される各種乱数値用の記憶領域、各種データを一時的に記憶する記憶領域やフラグ、ＣＰＵの作業領域を備える。さらに、前記ＲＯＭには、遊技上の制御プログラムや制御データ等が書き込まれている他、遊技における大当たり及び小当たりの判定値等が書き込まれている。
【００２７】
それに対して、副制御基板としての表示制御基板１０５は前記表示装置９の制御を行い、またランプ制御基板１１０は、前記ランプ装置３５等を制御し、前記音声制御基板１１５は前記スピーカ３８からの音声を制御し、前記払出制御基板１２０は、払出装置１２５による遊技球の払出を制御し、前記払出装置１２５から払い出された遊技球を後述の払出遊技球検出手段により検出して遊技球の払出を監視する。なお、前記払出制御基板は、本発明の払出制御手段に相当する。前記表示制御基板１０５、ランプ制御基板１１０、音声制御基板１１５及び払出制御基板１２０等は、ＣＰＵ、ＲＯＭ、ＲＡＭを備える。また、前記発射制御基板１９０は、前記発射装置５３に遊技者の手が接触しているか否かをタッチセンサにより検出して前記発射装置５３を制御する。一方、前記エラー解除スイッチ１２４は、前記払出装置１２５の払出に関しエラーが発生してエラー報知がなされた場合に、エラーを解除してエラー報知を停止するスイッチである。本実施例おいてエラー報知は、前記ランプ装置３５の点滅によって行われる。
【００２８】
また、前記機構板１２２の上部には、遊技機設置島から流れてくる遊技球を受け取って一旦溜めるためのタンク９８と、前記タンク９８から前記払出装置１２５へ遊技球を流下あるいは停留可能とするタンクレール９９が設けられている。前記払出装置１２５及びその周囲の構造については、後に詳述する。
【００２９】
前記弾球遊技機１では、前記遊技領域６へ向けて前記発射装置５３により遊技球が発射されて、前記種々の入賞口に入賞すると、すなわち本発明における遊技球払出条件が成立すると、入賞口に応じた所定数の遊技球が賞球として、前記払出装置１２５により払い出され、後述の払出樋（図４の符号１５９）を通って弾球遊技機前面側の上側球受け皿３６に払い出される。また、前記普通図柄変動開始用ゲート１９を遊技球が通過すると、小当たり判定・普通図柄決定用乱数値が取得され、その取得乱数値に基づいて普通図柄の当たり（小当たり）判定が行われ、前記普通図柄表示部４５で普通図柄が変動を開始し、所定時間変動後に停止する。その際、前記普通図柄の当たり判定結果が小当たりの場合には、小当たり普通図柄、この例では奇数で停止し、前記始動入賞口１０の２つの可動片１０ａ，１０ｂが背面の始動入賞口用ソレノイドによって略垂直で入賞し難い狭小開放状態（通常状態）から略Ｖ字形（逆ハの字形）の入賞（入球）し易い拡開開放状態に変化し、遊技球が入賞し易くなる。そして、前記始動入賞口１０に遊技球が入賞（入球）すると、所定数の遊技球が賞球として払い出される。なお、本実施例では、大入賞口１５への入賞（入球）は主賞球として１５個の遊技球が払い出されるのに対して、その他の入賞については副賞球として４個払い出されるように設定されている。
【００３０】
また、前記始動入賞口１０に遊技球が入賞すると、大当たり当否判定用乱数値及び大当たり確定特別図柄の組合せ決定用乱数値が取得され、前記取得された大当たり当否判定用乱数値に基づいて大当たりの当否判定が行われ、前記特別図柄表示部４２で特別図柄が変動を開始し、所定時間変動後に停止する。
【００３１】
前記大当たりの当否判定結果が大当たりの場合には、前記特別図柄表示装置９に大当たり確定特別図柄組合せ、この例では『１，１，１』（いわゆる‘１’のぞろ目）や『２，２，２』（いわゆる‘２’のぞろ目）等、同一数字の組合せ）で停止表示され、遊技者に有利な特別遊技（大当たり遊技）に移行する。前記特別遊技状態になると、前記大入賞口１５の開閉板１６が開いて遊技領域６の表面を落下してくる遊技球を受け止め易くして、大入賞口１５へ入賞可能にし、該大入賞口１５への入賞があると、所定数の遊技球が賞球として払い出される。前記開閉板１６は、所定時間（例えば２９．５秒）経過後、或いは入賞球数が所定個数（例えば１５個）となった時点で閉じるようにされている。また、前記大入賞口１５の開放中又は大入賞口１５が閉じてから約２秒以内に、大入賞口内の特定領域入賞口１５ａへの入賞球が検出されると、前記大当たりを再度繰り返す継続権利が発生し、所定最高回数（例えば最高１６回）、前記開閉板１６の開放を繰り返すようになっている。
【００３２】
また、前記弾球遊技機１においては、図４の機構板裏面図に示すように、前記払出装置１２５から払い出された遊技球を検出可能な払出遊技球検出手段としての払出検出器１４０と、前記払出装置１２５から払い出された遊技球を、前記払出装置１２５の下方で遊技機の前面側へ誘導する払出樋１５９あるいは遊技機の外部へ抜き出すために遊技機の裏面側へ誘導する球抜樋１６０の何れか一方へ遊技球の流路を切り換える流路切換手段と、前記遊技球払出条件の成立有無にかかわらず、前記払出装置１２５を強制的に作動させて前記払出装置１２５から遊技球を払い出させることが可能な払出装置強制作動手段と、前記流路切換手段が前記払出装置からの遊技球の流路を前記払出樋へ誘導する払出状態から前記球抜樋へ誘導する球抜状態に切り換えたことを起因に、前記払出遊技球検出手段による遊技球の検出を無効あるいは不可能にする払出遊技球非検出手段と、を備えている。以下、それらについて、機構板１２２の裏側の装置等を一部切り欠いて示す図４や払出及び球抜き時の作動を示す図５等を用いて説明する。
【００３３】
前記払出装置１２５は、前記タンクレール９９からの遊技球を、前記払出制御手段の制御によりあるいは払出装置強制手段の作動によって、払出あるいは払出停止を行うものである。本実施例では、前記払出装置１２５は、タンクレール９９から払出球準備樋１３１を経て流下してくる遊技球を１球ずつ受け止めて一方向への回転により１球ずつ下方へ払い出すことが可能なスプロケット状の回転体１２６と、前記回転体１２６との係合により該回転体１２６の回転を阻止、すなわち遊技球の払出を阻止し、また係合解除により該回転体１２６の回転を可能、すなわち払出を可能とする爪状のストッパー部材１２８と、前記ストッパー部材１２８を作動させて前記回転体１２６に対する係合及び係合解除を行う払出ソレノイド１２９で構成される。なお、それらの部材についてはケース体１３０に収容されている。本実施例のケース体１３０は、図５ないし図６に示すように、正面視縦長な長方形の透明な箱状からなり、内部における上部の一部には前記払出準備樋１３１が形成されている。
【００３４】
前記回転体１２６は、前記払出準備樋１３１からの遊技球を１球ずつ間に挟むことが可能な爪１２７を放射状に有するものであって、前記払出準備樋１３１の中心線から前記回転体１２６の回転中心をずらして配置されることにより、前記爪１２７で受けた遊技球の自重により前記回転体１２６が回転して遊技球を下方へ払い出し可能に設けられている。また、前記ストッパー部材１２８は、先端が前記回転体１２６の爪１２７と解除可能に係合する形状とされたもので、前記払出ソレノイド１２９の作動部材１２９ａと連動し、前記払出ソレノイド１２９の作動により揺動して、前記回転体１２６の爪１２７に対する係合や係合解除が可能にされている。本実施例では、前記払出ソレノイド１２８は作動部材１２９ａが上下方向となるように設けられ、図５の（５−Ａ）のように、前記作動部材１２９ａが上方へ後退することにより、前記ストッパー部材１２８と前記回転体１２６の係合が解除されて、回転体１２６の回転が可能になり、それまで、前記払出球準備樋１３１からの遊技球が爪１２７間に保持されていたのを払出可能とし、一方、図５の（５−Ｂ）のように、前記作動部材１２９ａが下方へ前進することにより、前記ストッパー部材１２８と前記回転体１２６が係合して回転体１２６の回転を阻止し、前記払出球準備樋１３１からの遊技球を回転体１２６の爪１２７間に保持し、遊技球の払出を停止する。なお、前記払出ソレノイド１２８の作動部材１２９ａは、常時下方へコイルスプリングにより付勢され、払出ソレノイド１２８の作動ＯＮによって上方へ後退し、作動ＯＦＦによってコイルスプリングの力で下方へ前進するように構成されている。
【００３５】
前記払出検出器１４０は、本実施例では図６にも示すように、保持部材１４１と遊技球を検出する検出センサ１４５とよりなり、前記回転体１２６で払い出された直後の遊技球を前記検出センサ１４５が検出可能な位置、本実施例では払出樋１５９上方に設けられる。前記検出センサ１４５はフォトセンサ、接触式センサ、磁力センサ等、遊技球を検出可能なものとされ、実施形態により適宜選択される。
【００３６】
前記保持部材１４１は、前記ケース体１３０の一側の側部を挟持面１４２で挟むことが可能な略コの字形状からなり、上部には吊り下げ片１４３が設けられ、前記挟持面１４２の内側には前記検出センサ１４５が設けられている。前記保持部材１４１は、払出樋１５９の上方側となる前記ケース体１３０の一側面の外側に形成された払出検出器保持片１３３に前記吊り下げ片１４３が軸支されて、前記ケース体１３０の側部に揺動可能に軸支される。前記ケース体１３０の側部に軸支により吊り下げられた払出検出器１４０は、図５のように前記ケース体１３０の側部に対して接近あるいは離間するように揺動可能とされ、前記揺動により前記保持部材１４１の挟持面１４２が、前記ケース体１３０の前後面に重なったり（図５の（５−Ａ）及び（５−Ｂ））、ケース体１３０の外へほとんどはみ出したりするようになっている（図５の（５−Ｃ）。また、前記ケース体１３０の前後面には、前記保持部材１４１の挟持面１４２が重なる位置、すなわち、前記払出装置１２５から払い出された直後の遊技球が通過する位置の前後面には、図６に示すように検出センサ用窓１３２が形成され、前記保持部材１４１の挟持面１４２が前記ケース体１３０の前後面に重なった際（図５の（５−Ａ）及び（５−Ｂ））に、前記保持部材１４１の挟持面１４２内側に設けられている検出センサ１４５が、前記検出センサ用窓１３２の位置と一致して、前記払出装置１２５から払い出された遊技球を検出可能な第１の位置となり、一方、前記払出検出器１４０がケース体１３０の側部外方へ揺動した際（図５の（５−Ｃ））には、前記検出センサ１４５が前記検出センサ用窓１３２の位置から外れて前記払出装置１２５から払い出された遊技球を検出不可能な第２の位置になる。なお、本実施例では前記払出検出器１４０が自重による揺動で前記ケース体１３０に接近して前記検出センサ１４５による遊技球の検出可能な第１の位置となるように、前記保持部材１４１の下部には重り１４１ａが埋設され、後述するように、払出状態から球抜き状態への切り換え時に、流路切換え部材の一部が保持部材１４１に当接して保持部材１４１を押すことにより、前記前記払出検出器１４０がケース体１３０の外方へ揺動して、前記検出センサ１４５による遊技球の検出不可能な第２の位置となるように構成されている。また、図１８に示すように、ケース体の１３０の検出センサ用窓１３２Ａを切り欠き状にして、検出センサ１４５が揺動する際に、前記検出センサ１４５が検出センサ用窓１３２Ａの切り欠き状部分を揺動してケース体１３０の表面で遮られないようにしてもよい。
【００３７】
また前記ケース体１３０は、前記払出準備樋１３１の真下におけるケース体１３０の下端付近に払出樋１５９が形成され、さらに前記払出樋１５９の隣に球抜き樋１６０が形成されている。前記払出樋１５９と球抜き樋１６０は、固定壁１５８で仕切られている。前記払出樋１５９は、遊技機の前面側の上側球受け皿３６と接続され、一方球抜き樋１６０は、遊技機裏面側の球抜球出口と接続されている。
【００３８】
前記検出センサ用窓１３２の位置から前記払出樋１５９及び前記球抜き樋１６０の間は、前記払出装置１２５から払い出された遊技球の流路に流路切換部材１６１が設けられ、前記流路切換部材１６１によって前記遊技球の流路が前記払出樋１５９あるいは前記球抜樋１６０へ切り換え可能にされている。前記流路切換部材１６１による流路の切り換えは、流路切換手段に相当する。本実施例における流路切換部材１６１は、図７にも示すように、上下に細長い略板状体からなり、遊技機の前後に相当する流路切換部材１６１の前後面の下部に揺動軸１６２が形成されていると共に上部にピン状の当接用突部１６３が形成され、さらに流路切換部材１６１の下部には遊技機の左右一方向へ突出した腕部１６４が形成され、前記腕部１６４には遊技機の裏面側へ突出した連動部１６５がピン状に突出形成されている。前記流路切換部材１６１は、前記ケース体１３の検出センサ用窓１３２の位置と前記払出樋１５９及び前記球抜き樋１６０間のケース体１３０内に、図５の（５−Ａ）及び（５−Ｂ）のように垂直状態となって払出樋１５９へ遊技球を誘導する払出状態と、図５の（５−Ｃ）のように流路切換部材１６１の上部が前記払出検出センサ用窓１３２の位置の真下に位置する傾斜状態となって球抜樋１６０へ遊技球を誘導する球抜状態の間を揺動可能に前記揺動軸１６２で軸着される。また、前記当接用突部１６３は、前記ケース体１３０の前後面に弧状に形成されている当接用突部スライド用長孔１３５に挿入されて前記ケース体１３０の外面に突出し、前記流路切換部材１６１が揺動する際に、前記当接用突部スライド用長孔１３５に沿ってスライド可能にされている。前記当接用突部スライド用長孔１３５から突出している前記当接用突部１６３は、前記払出状態（図５の（５−Ａ）及び（５−Ｂ））から前記球抜状態（図５の（５−Ｃ））へ前記流路切換部材１６１が揺動する際に、前記当接用突部スライド用長孔１３５に沿ったスライドし、その時、前記払出検出器１４０の保持部材１４１における挟持面１４２のケース体中央側端部１４２ａの下部側と当接することにより、前記検出器１４０を外方へ揺動させ、前記払出装置１２５から払い出された遊技球を検出不可能な第２の状態にする。本実施例では、前記流路切換部材１６１により前記検出器１４０を揺動させて第２の位置にする構成が、払出遊技球非検出手段となっている。
【００３９】
また、前記流路切換え部材１６１の連動部１６５については、前記払出ソレノイドの作動部材１２９ａの下方に上下動可能に設けられた払出装置強制作動部材１６６の下部に設けられた係合凹部１６９と係合し、前記払出装置強制作動部材１６６を上下移動させる際に、前記払出装置強制作動部材１６６の係合凹部１６９と共に上下動し、それによって前記流路切換部材１６１が前記揺動軸１６２を軸として揺動し、前記垂直の払出状態（図５の（５−Ａ）及び（５−Ｂ））と傾斜した球抜き状態（図５の（５−Ａ）及び（５−Ｂ））に変位させるようになっている。さらに、前記流路切換部材１６１が垂直の払出状態（図５の（５−Ａ）及び（５−Ｂ））から傾斜した球抜き状態（図５の（５−Ａ）及び（５−Ｂ））に変位する際には、前記流路切換部材１６１の当接用突部１６３が前記払出検出器１４０の保持部材１４１における挟持面１４２のケース体中央側端部１４１ａの下部側と当接することにより、前記検出器１４０をケース体１３０の外方へ揺動させ、前記払出装置１２５から払い出された遊技球を検出不可能な第２の状態にする。
【００４０】
前記払出装置強制作動部材１６６は、上下に長い略棒状体からなって、上方へ移動させた際に払出装置強制作動部材１６６の上端が前記払出ソレノイド１２９の作動部材１２９ａの下端と接触して作動部材１２９ａを上方へ後退させ、それによって前記ストッパー部材１２８を揺動させて前記回転体１２６と前記ストッパー部材１２８との係合を解除し、それにより前記回転体１２６を回転可能にして遊技球を払出装置１２５から払出可能にする。なお、前記払出装置強制作動部材１６６には前記ケース体１３０の外部に突出した操作用つまみ部１６７が形成されており、前記操作用つまみ部１６７を上方へ動かすことによって前記払出装置強制作動部材１６６を上方へ移動させることができ、それにより、前記回転体１２６と前記ストッパー部材１２８との係合を解除して遊技球を払出装置１２５から払出できるようにすると共に、前記流路切換部材１６１を第１の位置から第２の位置に変位させて前記払出状態（図５の（５−Ａ）及び（５−Ｂ））から前記球抜き状態（図５の（５−Ｃ）に強制的に切り換えることができ、さらにそれと同時に前記流路切換部材１６１の当接用突部１６３が前記払出検出器１４０と当接することにより、前記検出器１４０をケース体１３０の外方へ揺動させて前記払出装置１２５から払い出された遊技球を検出不可能な第２の状態にすることができる。
【００４１】
また、前記操作用つまみ部１６７を下方へ動かせば、前記払出装置強制作動部材１６６が下方へ移動して前記回転体１２６と前記ストッパー部材１２８が係合し、前記払出装置１２５からの強制的な払出を停止させると共に、前記流路切換部材１６１を第２の位置から第１の位置に変位させて前記球抜き状態（図５の（５−Ｃ））から払出状態（図５の（５−Ａ）及び（５−Ｂ））に−Ｃ）に切り換えることができ、さらにそれと同時に前記流路切換部材１６１の当接用突部１６３が前記払出検出器１４０と当接して押すことを解除して、前記検出器１４０を前記払出装置１２５から払い出された遊技球を検出可能な第１の状態に戻すことができる。前記払出装置強制作動部材１６６は、払出装置強制作動手段に相当する。
【００４２】
また、前記揺動可能な払出検出器１４０に代えて、図８乃至図１０に示すように、前記払出樋１５９の上方位置におけるケース体１３０の一側側面に払出検出器１４０Ａを固定し、前記固定式払出検出器１４０Ａの下方におけるケース体１３０の側面に開口部１３６を設けると共に、前記開口部１３６を覆うように球抜状態検出手段としての球抜状態検出器１３７を設け、さらに前記流路切換部材１６１には前記球抜状態時の揺動傾斜によって前記開口部１３６からケース体１３０の外部に突出し、一方前記払出状態時の略垂直状態時には前記ケース体１３０内に位置する突部１６８を設け、前記球抜き状態時に前記開口部１３６から突出する突部１６８を球抜状態検出器１３７で検出して球抜き状態となったことを検出するようにし、前記球抜き状態の検出によって前記払出検出器１４０Ａの検出センサ１４５による前記払出装置１２５から払い出された遊技球の検出を無効にすることにより、払出遊技球非検出手段を構成してもよい。前記球抜状態検出器１３７には、フォトセンサなどの検出センサを備えている。なお、この場合、図５乃至図７の例における前記流路切換部材の当接用突部１６３及びケース体の当接用突部スライド用長孔１３５は不要とされる。また、球抜き状態となったことを、ランプやスピーカによって報知してもよい。
【００４３】
さらに図１１のように、図５乃至図７の例と図８乃至図１０の例を組み合わせてもよい。すなわち、前記ケース体１３０の一側側面には前記揺動可能な払出検出器１４０の下方に開口部１３６を設けると共に、前記開口部１３６を覆うように球抜状態検出手段としての球抜き検出器１３７を設け、さらに前記流路切換部材１６１には前記球抜状態時の揺動傾斜によって前記開口部１３６からケース体１３０の外部に突出し、一方前記払出状態時の略垂直状態時には前記ケース体１３０内に位置する突部１６８を設け、前記球抜き状態時に前記開口部１３６から突出する突部１６８を球抜き検出器１３７で検出して球抜き状態となったことを検出するようにし、球抜き状態となったことをランプやスピーカによって報知してもよい。
【００４４】
次に、図１１で示される実施例に基づいて、前記払出制御基板（払出制御手段）１２０によって割り込み時間（例えば４ｍｓ）毎に実行される払出制御処理について説明する。図１２のフローに示すように、前記払出制御処理Ｈでは、出力処理（Ｓ１０）、コマンド解析処理（Ｓ２０）、払出装置制御処理（Ｓ３０）、払出センサ検出処理（Ｓ４０）、払出関連以上監視処理（Ｓ５０）、エラー解除処理（Ｓ６０）が順に行われ、また割り込み処理としてコマンド受信処理（Ｓ７０）が行われる。
【００４５】
出力処理（Ｓ１０）では、バッファ内に出力データが存在すれば、そのデータにしたがって、前記払出装置１２５の駆動信号を送信したり、エラー報知や、球抜き状態などに関わる情報を前記表示制御基板１０５やランプ制御基板１１０、あるいは前記音声制御基板１１５に出力したりする。
【００４６】
コマンド解析処理（Ｓ２０）では、図１３のフローに示すように、前記割り込み処理で行われるコマンド受信処理（Ｓ７０）によって、前記主制御基板１００から払出信号を受信したか否かが最初に確認される（Ｓ２１）。前記払出信号は、前記遊技領域６の入賞装置に遊技球が入球（入賞）することによって遊技球払出条件が成立したときに、前記主制御基板１００から払出制御基板１２０に対して送信される。払出信号を受信していないときは、その時点でこのコマンド受信処理（Ｓ２０）が終了し、それに対して払出信号を受信している場合には、受信した払出信号が４個用コマンドか１５個用コマンドか確認される（Ｓ２２）。４個用コマンドは、前記大入賞口１５以外の入賞に対する副賞球として４個の遊技球を前記払出装置１２５の払出ソレノイド１２９の作動により払い出す信号であり、一方１５個用コマンドは前記大入賞口１５への入賞に対する主賞球として１５個の遊技球を前記払出装置１２５の払出ソレノイド１２９の作動により払い出す信号である。前記受信した払出信号が４個用コマンドの場合には、払出球数に＋４加算し（Ｓ２３）、前記払出装置１２５へ４信号（副賞球出力信号）の出力準備をする（Ｓ２４）。それに対して、受信した払出信号が４個用コマンドではなく、１５個用コマンドの場合には、払出球数に＋１５加算し（Ｓ２５）、前記払出装置１２５へ１５信号（主賞球出力信号）の出力準備をする（Ｓ２６）。
【００４７】
払出装置制御処理（Ｓ３０）では、図１４のフローに示すように、まず球抜き動作中か否か確認する（Ｓ３１）。この確認は、図１１において、前記球抜き検出器１３７により前記突部１６８を検出している場合に球抜き動作中と判断し、受信していない場合には球抜き動作中ではないと判断する。球抜き動作中でなければ、未払いの払出球が有るか確認し（Ｓ３２）、未払いの払出球が無ければ、この払出装置制御処理（Ｓ３０）が終了し、一方、未払いの払出球が有る場合には、前記払出ソレノイド１２９をＯＮにして払出装置１２５を駆動させ、残りの遊技球を払い出す。それに対し、球抜き動作中であれば、前記払出装置１２５を自動で作動させる場合（図５乃至図１１とは異なり、球抜き動作中の検出により前記払出ソレノイド１２９を自動的に作動させる場合）には、Ａのように前記払出ソレノイド１２９をＯＮにして払出装置１２５を駆動させ（Ｓ３３）、前記回転体１２６を回転可能にする。一方、前記払出装置１２５を自動で作動させない場合（図５乃至図１１のように手動で払出ソレノイド１２９を動かす場合）には、Ｂのようにこのまま払出装置制御処理（Ｓ３０）が終了する。
【００４８】
払出センサ検出処理（Ｓ４０）では、図１５のフローに示すように、球抜き動作中か否か確認し（Ｓ４１）、球抜き動作中であれば、この払出センサ検出処理（Ｓ４０）を終了する。一方、球抜き動作中でなければ、払出センサ（前記払出検出器１４０の検出センサ１４５）により遊技球の通過が検出されたか確認し、通過があれば遊技球の通過数を前記払出球数から減算し（Ｓ４３）、この払出センサ検出処理（Ｓ４０）を終了する。なお、前記Ｓ４２で払出センサ（前記払出検出器１４０の検出センサ１４５）により遊技球の通過が検出されていないと判断された場合には、その時点でこの払出センサ検出処理（Ｓ４０）を終了する。
【００４９】
払出関連監視処理（Ｓ５０）では、図１６のフローに示すように、まず、払出個数が０未満か、すなわち、前記払出信号により設定された払出球数よりも多くの遊技球が払い出されているか否か判断する（Ｓ５１）。前記払出信号により設定された払出球数よりも多くの遊技球が払い出されている場合には、ランプ等で報知するための過払出信号（エラー信号）を出力する準備をし（Ｓ５２）、一方、前記払出信号により設定された払出球数よりも多くの遊技球が払い出されていない場合には、前記過払出信号（エラー信号）出力準備（Ｓ５２）をジャンプする。次に、前記タンクレール９９の下部に設けられた前記球無しスイッチ基板で球無しが検出されて球無し信号を受信しているか否か確認し（Ｓ５３）、球無し信号が有れば、球無しであることをランプ等で放置するための球無し信号出力準備をし（Ｓ５４）、球無し信号が無ければ、前記球無し信号出力準備（Ｓ５４）をジャンプする。次に、球抜き検出信号が有るか（現在球抜き状態であるか）否かを確認（Ｓ５５）し、球抜き信号が有る（現在球抜き状態である）場合には、ランプやスピーカ等で球抜き状態を報知するために球抜き検出信号出力の準備をし（Ｓ５６）、球抜き検出信号がない場合にはこの払出関連監視処理（Ｓ５０）を終了する。
【００５０】
エラー解除処理（Ｓ６０）では、図１７のフローに示すように、エラー報知中か否か、すなわち、前記払出関連監視処理（５０）で払出個数の異常が検出されているか（過払出し信号出力準備がされたか）否かを判断する（Ｓ６１）。エラー報知中の場合、前記エラー解除スイッチ１２４がＯＮか否かを判断し（Ｓ６２）、エラー解除スイッチがＯＮの場合にはエラー解除動作を行う（Ｓ６３）。具体的には、払出球数を０にクリアすることになる。一方、エラー報知中ではなかったり、エラー解除スイッチがＯＮではないと判断されたりした場合には、その時点でこのエラー解除処理（Ｓ６０）は終了する。
【００５１】
このように、本実施例の弾球遊技機は、遊技球の払出が過剰になった場合、エラー解除スイッチが操作されるまで、ランプ、音声、表示等によって遊技者もしくは遊技店側に異常発生を報知するように構成されている。
【００５２】
なお、上記実施例は図１１のものに従って払出制御処理を説明したが、例えば、図８乃至図１０で示される実施例においても同様のフローで払出制御を行うことが可能である。また、図５乃至図７及び図１８で示される構成であった場合、払出制御処理における図１４、図１５、図１６のフローで球抜き動作中か否かを確認するが、この確認を、前記揺動可能な払出検出器１４０が前記検出不可能な第２の位置になっていることを検出する構成とすることにより、あるいは前記払出装置強制作動部材１６６が上方へ移動していることを検出する構成とし、その検出信号を受信している場合には球抜き動作中と判断し、受信していない場合には球抜き動作中ではないと判断するとしてもよい。さらにまた、球抜き動作中か否かを確認する処理を無くしてもよい。その場合には、図１６における球抜き検出信号出力準備の処理（Ｓ５６）も無くすものとする。
【００５３】
本発明は上記の構成としたことにより、払出装置から払い出される遊技球を遊技機外部へ抜き出す際に、前記払出装置から払い出された遊技球が、払出遊技球検出手段によって検出されないため、払出条件が成立していない（払出信号が無い）にもかかわらず、遊技球が払い出されていると判断されてエラー等を生じる不具合の発生を防止することが可能になる。
【００５４】
なお、払出個数の異常検出方法は上記の方法に限定されるものではなく、例えば、設定された払出球数が０の時にセンサが遊技球の払出を検出したことを監視するもの等、適宜変更することが可能である。また、エラー解除の方法も、上記の方法に限定されず、例えば、エラー解除スイッチがＲＡＭクリアスイッチを兼ねていて、エラー解除スイッチＯＮが直接ＲＡＭクリアとなるものであってもよい。
【００５５】
また、本発明は、前記の実施例に限定されるものではなく、本発明の趣旨を逸脱しない範囲で変更可能である。例えば、本実施例では、払出装置にソレノイドとスプロケット状の回転体を用いたが、モーター等により駆動するスクリュー式のものであってもよい。さらに、払出装置強制手段は、本実施例では払出装置強制作動部材を手動によるスライド操作で作動させているが、払出装置強制作動部材を上方へ移動させて球抜き状態とした際に、払出装置強制作動部材が解除可能にケース体と係合して球抜き状態で固定されるようにしたり、手動による払出装置強制作動部材に代えて電気的なスイッチで前記払出ソレノイドをＯＮにして作動させたりしてもよい。
【図面の簡単な説明】
【００５６】
【図１】本発明の一実施例に係る弾球遊技機全体について遊技盤の釘を省略して示す正面図である。
【図２】同弾球遊技機の裏面図である。
【図３】同弾球遊技機の制御装置等の接続を簡略に示すブロック図である。
【図４】同弾球遊技機における機構板の裏側について装置等を一部切り欠いて示す図である。
【図５】同弾球遊技機における払出装置の作動を示す図である。
【図６】同弾球遊技機におけるケース体及び保持部材の斜視図である。
【図７】同弾球遊技機における流路切換部材の斜視図である。
【図８】他の実施例における払出装置の作動を示す図である。
【図９】他の実施例におけるケース体及び保持部材等の斜視図である。
【図１０】他の実施例における流路切換部材の斜視図である。
【図１１】さらに他の実施例における払出装置の作動を示す図である。
【図１２】払出制御処理のフローチャートである。
【図１３】コマンド解析処理のフローチャートである。
【図１４】払出装置制御処理のフローチャートである。
【図１５】払出センサ検出処理のフローチャートである。
【図１６】払出関連監視処理のフローチャートである。
【図１７】エラー解除処理のフローチャートである。
【図１８】検出センサ用窓を切り欠き状にした場合のケース体及び保持部材の実施例を示す斜視図である。
【符号の説明】
【００５７】
１  弾球遊技機
３  遊技盤
６  遊技領域
９  表示装置
５３  発射装置
１２５  払出装置
１３０  ケース体
１３６  ケース体の開口部
１３７  球抜検出器
１４０  払出検出器
１４１  保持部材
１４５  検出センサ
１５９  払出樋
１６０  球抜樋
１６１  流路切換部材
１６８  流路切換部材の突部
【図１】
2006204665.tif 000003
【図２】
2006204665.tif 000004
【図３】
2006204665.tif 000005
【図４】
2006204665.tif 000006
【図５】
2006204665.tif 000007
【図６】
2006204665.tif 000008
【図７】
2006204665.tif 000009
【図８】
2006204665.tif 000010
【図９】
2006204665.tif 000011
【図１０】
2006204665.tif 000012
【図１１】
2006204665.tif 000013
【図１２】
2006204665.tif 000014
【図１３】
2006204665.tif 000015
【図１４】
2006204665.tif 000016
【図１５】
2006204665.tif 000017
【図１６】
2006204665.tif 000018
【図１７】
2006204665.tif 000019
【図１８】
2006204665.tif 000020